(57)【要約】【課題】ベルトを引き伸ばしてプーリに取り付ける際、他方のプーリからベルトが外れたり位置ずれしたりするのを阻止することのできるベルト外れ防止治具の提供。【解決手段】ベルト外れ防止治具１に外れ止め６を設ける。ベルト外れ防止治具１に固定手段７を設けてプーリ３に固定する。外れ止め６がプーリ３のプーリフランジ９の外周側に位置する。プーリ３にベルト５を掛ける。ベルト５を引き伸ばしながらプーリ２に手前側から取り付ける。外れ止め６がプーリ３からのベルト５の外れや位置ずれを阻止する。【選択図】  図３
2010175007.tif 000002
【特許請求の範囲】
【請求項１】
周方向に伸長可能なベルトを引き伸ばしながら、外周面にプーリ溝を有する複数のプーリのうちの一のプーリのプーリ溝に取り付けることにより、予め前記ベルトを掛巻した他のプーリを含む前記複数のプーリにベルトを掛巻する際、他のプーリからのベルトの外れを防止するためのベルト外れ防止治具であって、
少なくとも前記ベルトが一のプーリに取り付けられるまで当該ベルト外れ防止治具を他のプーリに固定するための固定手段と、他のプーリのプーリフランジの外周側に位置してベルトが他のプーリから外れるのを阻止する外れ止めとを備えたことを特徴とするベルト外れ防止治具。
【請求項２】
前記固定手段は、プーリフランジの外周縁に係止されるよう外れ止めの底部に形成された係止溝と、ベルト及びプーリ溝間に挟着されるよう外れ止めの底部からプーリ側に突出する挟着部とからなることを特徴とする請求項１に記載のベルト外れ防止治具。
【請求項３】
前記外れ止めの底部からプーリフランジの手前側に突出するよう脚部が延設されたことを特徴とする請求項１又は２に記載のベルト外れ防止治具。
【発明の詳細な説明】
【技術分野】
【０００１】
本発明は、外周面にプーリ溝を有する複数のプーリを回転させながらベルトを伸長させて取り付ける際に、複数のプーリのうちの予めベルトを掛巻したプーリからのベルトの外れを防止するためのベルト外れ防止治具に関するものである。
【背景技術】
【０００２】
一般に、外周面にプーリ溝を有する複数のプーリにベルトを掛巻してなるベルト伝動機構には、ベルトを複数のプーリに取り付けてから所定のベルト張力を付与するように、テンションプーリなどの張力調整手段が設けられている。
【０００３】
このような張力調整手段を不要にするため、プーリに取り付ける際に周方向に引き伸ばしてプーリフランジを乗り越えさせるようにしたベルトが出現しており、さらに、特許文献１は、ベルトを周方向に引き伸ばしながらプーリフランジを乗り越えさせてプーリ溝に嵌め込むためのベルト取付治具を開示している。
【０００４】
図４に、特許文献１が開示するベルト取付治具を示す。ベルト取付治具１０１は、一方のプーリ１０２に装着して使用するものであり、ベルト取付治具１０１よりもプーリ回転方向後方のプーリ溝１０３にベルト１０４を嵌めると共に、ベルト１０４を保持面１０５に掛けて保持するようになっている。さらに、ベルト１０４を他方のプーリに掛巻し、プーリ１０２のセンターボルト１０６に工具を装着して回転させて、ベルト取付治具１０１をプーリ回転方向前方に進め、ベルト１０４のうちのプーリ溝１０３に嵌る範囲を徐々に広げることにより、ベルト１０４がプーリ１０２に取り付けられる。
【先行技術文献】
【特許文献】
【０００５】
【特許文献１】特開２００６−３００１７２号公報（段落番号００２８、００３５、００３６、００４３、００４４、図６）
【発明の概要】
【発明が解決しようとする課題】
【０００６】
ところが、ベルト取付治具は、これにベルトを掛けてプーリの手前側に通し、プーリを回転させながら、ベルトを引き伸ばして手前側からプーリに取り付けるものであり、特に、複数のプーリの間隔が狭い場合、一方のプーリに取り付ける際に、ベルトが斜め手前側に引っ張られて他方のプーリから外れるおそれがある。
【０００７】
本発明は、ベルトを引き伸ばしてプーリに取り付ける際、他方のプーリからベルトが外れたり位置ずれしたりするのを阻止することのできるベルト外れ防止治具の提供を目的とする。
【課題を解決するための手段】
【０００８】
上記目的を達成するために、本発明に係るベルト外れ防止治具は、周方向に伸長可能なベルトを引き伸ばしながら、外周面にプーリ溝を有する複数のプーリのうちの一のプーリのプーリ溝に取り付けることにより、予めベルトを掛巻した他のプーリを含む複数のプーリにベルトを掛巻する際、他のプーリからのベルトの外れを防止するためのものであり、少なくともベルトが一のプーリに取り付けられるまでこのベルト外れ防止治具を他のプーリに固定するための固定手段と、他のプーリのプーリフランジの外周側に位置してベルトが他のプーリから外れるのを阻止する外れ止めとを備えたものである。
【０００９】
上記構成によれば、他のプーリのプーリフランジの外周側に位置するよう外れ止めを設けるので、ベルトを他のプーリに掛巻した後、このベルトを一のプーリに取り付ける際、他のプーリからベルトが外れたり位置ずれしたりするのを阻止することができる。また、固定手段を設けてベルト外れ防止治具を他のプーリに固定するので、ベルト外れ防止治具を支持するための専用の部材を不要にすることができ、しかも、プーリ間にベルト外れ防止治具を設けることができない程度までプーリ同士の間隔が狭い場合であっても、ベルトの外れや位置ずれを阻止することができる。
【００１０】
つまり、ベルトを引き伸ばして手前側からプーリに取り付ける際、そのベルトを斜め手前側に強く引っ張ることになるので、ベルトのうちの他のプーリに掛巻した部位が手前側に外れたり位置ずれしたりするおそれがある。特に、プーリ同士の間隔が狭い場合には、その間隔が狭くなるほど、ベルトの外れや位置ずれがより生じやすくなる。これに対して、ベルト取付治具を他のプーリに装着することにより、他のプーリからベルトが外れたり位置ずれしたりするのを阻止することができ、例えばプーリを回転させながらベルトを引き伸ばして取り付けることができる。
【００１１】
また、固定手段を、プーリフランジの外周縁に係止するよう外れ止めの底部に形成した係止溝と、ベルト及びプーリ溝間に挟着するよう外れ止めの底部からプーリ側に突出する挟着部とから構成することができる。
【００１２】
この構成によれば、係止溝をプーリフランジの外周縁に係止して、プーリ軸方向の移動を規制すると共に、挟着部をベルトとプーリ溝とで挟着して、プーリ溝からの浮き上がり、倒れ及びプーリ周方向における移動を規制することができ、プーリにベルト外れ防止治具を容易に装着することができる。しかも、ねじ止め構造などと比較して、突出部位がない分、ベルトの巻き付きを阻害することがなく、プーリ側にねじ孔などが不要な分、プーリ周方向における任意の位置にベルト外れ防止治具を取り付けることができる。
【００１３】
また、外れ止めの底部からプーリフランジの手前側に突出するよう脚部を延設することができる。
【００１４】
この構成によれば、手前側に外れようとするベルトが外れ止めを強い力で押圧し、係止溝を中心としてベルト外れ防止治具を手前側に倒そうとする場合であっても、脚部がプーリフランジの手前側の面に当接することにより、ベルト外れ防止治具の倒れを阻止することができる。
【発明の効果】
【００１５】
以上のとおり、本発明によると、プーリフランジの外周側に位置するよう外れ止めを設けるので、プーリ間にベルト外れ防止治具を設けることなく、ベルトを一方のプーリに取り付ける際に、他方のプーリから外れたり位置ずれしたりするのを阻止することができる。これにより、例えば、プーリ間にベルト外れ防止治具を設けることができない程度までプーリ同士の間隔が狭い場合であっても、複数のプーリにベルトを確実に取り付けることができる。
【図面の簡単な説明】
【００１６】
【図１】（ａ）は本発明に係るベルト外れ防止治具の手前側から見た斜視図、（ｂ）はベルト外れ防止治具の奥側から見た斜視図
【図２】プーリに装着したベルト外れ防止治具の断面図
【図３】ベルト外れ防止治具を用いて一対のプーリにベルトを取り付ける手順を示す図
【図４】従来のベルトの取り付けを示す斜視図
【発明を実施するための形態】
【００１７】
以下、本発明に係るベルト外れ防止治具を実施するための形態について、図面を用いて説明する。
【００１８】
図１〜図３に示すように、ベルト外れ防止治具１は、外周面にプーリ溝を有する例えば一対のプーリ２、３のうち、一方のプーリ２にベルト取付治具４を装着して、ベルト５をプーリ２、３に掛巻する際、他方のプーリ３に装着し、他方のプーリ３からベルト５が外れたり位置ずれしたりするのを防止するためのものであり、ベルト５のプーリ３からの外れや位置ずれを阻止する外れ止め６と、プーリ３に固定するための固定手段７と、外れ止め６からプーリ３の半径方向内向きに延設された脚部８とを備えている。
【００１９】
外れ止め６は、プーリ３の周長の例えば１／３程度の長さで、内側の曲率半径がプーリ３のプーリフランジ９の外周縁の曲率半径と同程度に設定された円弧状の長板とされる。この外れ止め６は、プーリフランジ９の外周側に立設されて、ベルト５がプーリフランジ９を乗り越えてプーリ３から外れたり、プーリフランジ９に乗り上げてベルト幅方向に位置ずれしたりするのを阻止する。
【００２０】
固定手段７は、外れ止め６の底部にその長さ方向に連続して形成された係止溝１０と、外れ止め６の底部から奥側にかつ外れ止め６の板面と直交するよう突出する湾曲長板状の挟着部１１とからなる。この固定手段７は、係止溝１０をプーリフランジ９の外周縁に係止すると共に、プーリ３の側に突出した挟着部１１をベルト５とプーリ溝の溝底１２との間に挟着することにより、少なくともベルト５をプーリ２に取り付ける間、ベルト外れ防止治具１をプーリ３に固定する。
【００２１】
脚部８は、円弧状の長板とされて、外れ止め６の底部のうち、係止溝１０よりも手前側からプーリフランジ９の手前側に突出するよう形成される。この脚部８は、プーリフランジ９の手前側の面に当接して、ベルト外れ防止治具１が係止溝１０を中心として手前側に倒れるのを阻止する。
【００２２】
ベルト外れ防止治具１と共に使用するベルト取付治具４は、略楕円状の厚板とされ、その一端がプーリ２のプーリフランジ１３の近傍に、かつ他端がプーリ２の回転中心の近傍に位置するよう、長手方向をプーリ２の半径方向に合わせて配置されて、プーリ２のプーリ軸方向手前側に装着される。このベルト取付治具４及び他方のプーリ３にベルト５を掛け、一方のプーリ２を他方のプーリ３と共に回転させることにより、ベルト５を引き伸ばしながらプーリフランジ１３を乗り越えさせて、プーリ２の外周面に形成されたプーリ溝に取り付けるようになっている。
【００２３】
ベルト取付治具４の肉厚は、周面にベルト５を掛けることのできる大きさに設定され、ベルト取付治具４の周面に、ベルト５の一部を受けて保持する保持面１４と、この保持面１４からプーリ２の手前側にベルト５を案内するガイド面１５とが形成されている。
【００２４】
保持面１４は、ベルト取付治具４の一端部の周面のうち、プーリフランジ１３の外周面よりも半径方向外側又は面一の範囲に設定される。この保持面１４は、プーリ２の回転に伴って引き伸ばされたベルト５がプーリフランジ１３を乗り越えるようプーリ軸方向に滑ってプーリ溝に嵌るまで、ベルト５の一部をプーリフランジ１３の外周面よりも半径方向外側かつプーリ軸方向手前側に保持する。
【００２５】
保持面１４の回転方向後端部には、ベルト取付治具４に掛けたベルト５が手前側に外れるのを規制するための突起１６が突設されている。この突起１６にベルト５を掛けることにより、突起１６よりも回転方向後方で、ベルト５がプーリ２のプーリ溝に嵌まり、突起１６よりも回転方向前方で、ベルト５がプーリフランジ１３を手前側に跨いで保持面１４で保持される。
【００２６】
ガイド面１５は、保持面１４に連続してプーリ２の回転方向前方に膨らむ曲面状に形成され、保持面１４が保持するベルト５をプーリ２の手前側にスムーズに案内する。
【００２７】
ベルト取付治具４の他端部には、ベルト取付治具４を一方のプーリ２のセンターボルト１７に嵌合してプーリ２に固定するための嵌合部１８が設けられている。嵌合部１８は、ベルト取付治具４の他端部を奥側から手前側に貫通するよう設けられ、この嵌合部１８の手前側からセンターボルト１７に工具１９を係合して、プーリ２を回転させるようになっている。
【００２８】
ベルト５は、テンショナーなどの張力調整手段を不要にするよう、周方向に伸長可能とされたものであり、例えばベルト本体にポリアミドからなる心線を埋設した構造とすることによって周方向の伸び率を２〜３％に設定される。
【００２９】
ベルト５として、Ｖリブドベルトを採用する場合、これをプーリ２、３に取り付ける際にベルト外れ防止治具１を用いることにより、プーリ３からのベルト５の外れを阻止すると共に、リブずれをも阻止して、ベルト５のリブをプーリ２、３の対応するリブ溝に正しく嵌めることができる。なお、ベルト５は、平ベルトなどのＶリブドベルト以外のベルトであってもよい。
【００３０】
次に、ベルト外れ防止治具１及びベルト取付治具４を用いて一対のプーリ２、３にベルト５を取り付ける手順を説明する。
【００３１】
まず、図３（ａ）に示すように、プーリ３に、ベルト５を掛巻すると共に、ベルト外れ防止治具１を装着する。ベルト外れ防止治具１は、その係止溝１０を全長に渡ってプーリフランジ９の外周縁に嵌めて係止すると共に、挟着部１１のうちのプーリ回転方向前端部をベルト５とプーリ溝の溝底１２とで挟着することによって装着する（図２、図３（ａ）参照）。なお、ベルト外れ防止治具１の長さをプーリ３の周長の１／２以下に設定しているので、プーリフランジ９にその外周側から係止溝１０を嵌めることができる。
【００３２】
また、ベルト取付治具４の奥側の面がプーリフランジ１３に接触するまで、嵌合部１８をプーリ２のセンターボルト１７に嵌合することにより、プーリ２にベルト取付治具４を装着する。さらに、適宜プーリ２を回転させて、ベルト取付治具４を、プーリ２、３の回転中心を結ぶラインよりも回転方向後方に位置させる。
【００３３】
プーリ２のうち、ベルト取付治具４よりもプーリ回転方向後方のプーリ溝にベルト５を嵌める。ベルト５を、ベルト取付治具４の突起１６に掛け、ベルト幅方向に曲げるようにしてプーリフランジ１３を跨がせ、プーリ２の手前側に引き出す。ベルト取付治具４の保持面１４及びガイド面１５にベルト５を掛けて、ベルト取付治具４よりもプーリ回転方向前方でプーリ２よりもプーリ軸方向手前側にベルト５を通す。この状態ではベルト５に張力は作用しておらず、ベルト取付治具４及びプーリ２、３に容易にベルト５を掛けることができる。
【００３４】
次いで、図３（ｂ）に示すように、嵌合部１８の手前側からプーリ２のセンターボルト１７に、例えば市販の工具１９を装着してプーリ２を回転させる。これにより、プーリ３が、ベルト取付治具４及びベルト５を介してプーリ２と共に回転する。
【００３５】
プーリ３の回転に伴い、挟着部１１のうちのベルト５と溝底１２とで挟着されている範囲が徐々に広がり、ベルト外れ防止治具１がプーリ３の周方向に沿って移動する。ベルト外れ防止治具１は、例えばプーリ３の周長の１／３程度の長さに設定されており、その一部が、少なくともベルト５がプーリ２に取り付けられるまで、プーリ３のうちのベルト５が巻き付く部位の周辺に位置する。
【００３６】
ベルト外れ防止治具１は、プーリ３のうちのベルト５が巻き付く部位の周辺に位置することにより、プーリ３から手前側へのベルト５の外れや位置ずれを阻止する。つまり、ベルト取付治具４に掛けられたベルト５がプーリ２の手前側を通過してプーリ３に巻き付くので、プーリ３に掛けられたベルト５のうちのプーリ３に巻き付く部位が斜め手前側に強く引っ張られる。この斜め手前側への引張力は、ベルト５をプーリ３から手前側に外そうとするが、ベルト外れ防止治具１の外れ止め６がプーリフランジ９の外周側に立設されているので、プーリ３からのベルト５の外れや位置ずれが阻止される。
【００３７】
また、ベルト外れ防止治具１は、ベルト５から手前側に作用する力を受けるが、係止溝１０をプーリフランジ９に係止していることにより、手前側への移動が阻止され、しかも、挟着部１１をベルト５と溝底１２とで挟着していることにより、プーリ３からの浮き上がり及び転倒が阻止される。さらに、脚部８がプーリフランジ９の手前側の面に当接することにより、ベルト外れ防止治具１の手前側への転倒がより確実に阻止される。
【００３８】
プーリ２が回転することにより、ベルト５を引き伸ばしながら、ベルト取付治具４がプーリ回転方向前方に進み、ベルト５のうちのプーリ溝に嵌る範囲が広がっていく。また、ベルト取付治具４よりもプーリ回転方向後方でベルト５がプーリ溝に嵌ってプーリ軸方向の移動を規制されているので、プーリ回転方向前方では、ベルト幅方向に曲がったベルト５の復元力によって、ベルト５をプーリ溝に向かって移動させる力が作用する。なお、ベルト５の復元力は、ベルト張力の分力としてのスラスト力や、ベルト５の弾性力である。
【００３９】
ベルト取付治具４よりもプーリ回転方向前方で、ベルト５がプーリ２の中心付近から半径方向外向きに移動して、徐々にプーリフランジ１３の外縁に近づいていく。やがて、ベルト５の復元力により、ベルト５がプーリフランジ１３を乗り越えるようにして、保持面１４を滑ってプーリ溝に嵌り、図３（ｃ）に示すように、ベルト５が完全にプーリ２に取り付けられる。
【００４０】
図３（ｄ）に示すように、プーリ３のプーリフランジ９からベルト外れ防止治具１を取り外すと共に、プーリ２のセンターボルト１７からベルト取付治具４を取り外すことにより、ベルト５の取り付けが完了する。
【符号の説明】
【００４１】
１        ベルト外れ防止治具
２、３    プーリ
４        ベルト取付治具
５        ベルト
６        外れ止め
７        固定手段
８        脚部
９、１３  プーリフランジ
１０      係止溝
１１      挟着部
１２      溝底
１４      保持面
１５      ガイド面
１６      突起
１７      センターボルト
１８      嵌合部
１９      工具
【図１】
2010175007.tif 000003
【図２】
2010175007.tif 000004
【図３】
2010175007.tif 000005
【図４】
2010175007.tif 000006
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
周方向に伸長可能なベルトを引き伸ばしながら、外周面にプーリ溝を有する複数のプーリのうちの一のプーリのプーリ溝に取り付けることにより、予め前記ベルトを掛巻した他のプーリを含む前記複数のプーリにベルトを掛巻する際、他のプーリからのベルトの外れを防止するためのベルト外れ防止治具であって、
少なくとも前記ベルトが一のプーリに取り付けられるまで当該ベルト外れ防止治具を他のプーリに固定するための固定手段と、他のプーリのプーリフランジの外周側に位置してベルトが他のプーリから外れるのを阻止する外れ止めとを備えたことを特徴とするベルト外れ防止治具。
【請求項２】
前記固定手段は、プーリフランジの外周縁に係止されるよう外れ止めの底部に形成された係止溝と、ベルト及びプーリ溝間に挟着されるよう外れ止めの底部からプーリ側に突出する挟着部とからなることを特徴とする請求項１に記載のベルト外れ防止治具。
【請求項３】
前記外れ止めの底部のうち、プーリフランジに対してプーリ溝と反対側の部位からプーリの半径方向内向きに突出するよう脚部が延設されたことを特徴とする請求項１又は２に記載のベルト外れ防止治具。